(57)【要約】【課題】  山で伐採した間伐材などの木材を、現場で容易に組み立てて利用でき、施工も容易な土留壁部材を開発する。【解決手段】  上向きのナットを備えたベース板を長さ方向に２列平行に配置し、各ベース板を長さ方向及び幅方向に連結材で連結してなるベース部と、前記ベース板上に丸太材を長さ方向に複数段配置した前壁と後壁とを有し、前記前壁と後壁の各丸太材を、下端を前記ナットに螺着して立設した結束ボルトで結合一体化する。ベース部は軽量な部材から成るので、運搬及び組み立て作業を容易に行うことができる。前壁及び後壁は、現場近くの山で伐採した間伐材などの木材を、現場で容易に組み立てることができる。また、前壁及び後壁が丸太材であるので、これらが露出しても自然な景観を実現できる。【選択図】      図１
2005048525.tif 000002
【特許請求の範囲】
【請求項１】
上向きのナットを備えたベース板を長さ方向に２列平行に配置し、各ベース板を長さ方向及び幅方向に連結材で連結してなるベース部と、
前記ベース板上に丸太材を長さ方向に複数段配置した前壁と後壁とを有し、
前記前壁と後壁の各丸太材を、下端を前記ナットに螺着して立設した結束ボルトで結合一体化したことを特徴とする土留壁部材
【請求項２】
請求項１の土留壁部材において、前記結束ボルトを幅方向に連結する巾止め材を該結束ボルトの任意の高さ位置に設けたことを特徴とする土留壁部材
【請求項３】
請求項１又は２の土留壁部材において、前記前壁と後壁の端部の間に丸太材を巾方向に複数段配置した端壁を設け、
前記ベース部の端部の前側と後側の各ベース板に巾方向に並ぶ２個の上向きナットを設け、
その内側のナットに下端を螺着して立設した結束ボルトで前記端壁の各丸太材を結合一体化したことを特徴とする土留壁部材
【請求項４】
請求項１〜３のいずれかの土留壁部材の前記前壁と後壁の間に中詰め材を充填して構築したことを特徴とする土留壁
【発明の詳細な説明】
【技術分野】
【０００１】
本発明は、擁壁、沈床、治山ダムなどの土留壁を構築するための土留壁部材、及びこの土留壁部材を用いて構築した土留壁に関する。
【背景技術】
【０００２】
例えば、山の斜面や河川の護岸斜面などを保護する擁壁を構築する場合や、治山ダムを構築する場合、従来はコンクリート製のブロックや構造材として鋼材を用いることが多かった。しかし、近年は自然の景観を重視する傾向が強まり、コンクリートや鋼材が外面に露出する土木構築物は好まれない。そこで、例えば特開２０００−２０４５７３号公報などに開示されるように、鋼材などで構築した擁壁の表面に木材を付加するなどの化粧を施すことが提案されている。
【０００３】
また、沈床を構築する場合、古くは木材を現場で組み立てる工法であったが、近年は例えば特開２０００−８３４５号公報などに開示されるように、木材をある程度工場で、底部材、壁部材などの半製品として組み立てておき、これを現場に運搬して組み立てることで、現場での組み立て作業を軽減する工法が提案されている。
【特許文献１】特開２０００−２０４５７３号公報
【特許文献２】特開２０００−８３４５号公報
【発明の開示】
【発明が解決しようとする課題】
【０００４】
従来の、擁壁の表面に木材を付加するなどの化粧を施す工法は、鋼材やコンクリートブロックなどの構造材と化粧材である木材とを重複して使用するもので、合理的なものとはいえず、また、重い鋼材やコンクリートブロックを工場から現場に輸送するものであるので、環境負荷の大きな工法である。
【０００５】
沈床の構築においては、工場で木材を組み立てた半製品を現場で組み立てる工法は、現場での省力化はある程度実現できたものの、原料の木材をいったん山から工場に輸送し、さらに工場で製造した半製品を再び山に輸送するものであり、また現場での作業も、省力化されたといってもまだ煩雑な部分もあって不十分なものであった。
【０００６】
本発明は、山で伐採した間伐材などの木材を、現場で容易に組み立てて利用でき、施工も容易な土留壁部材を開発することを課題としてなされたものである。
【課題を解決するための手段】
【０００７】
本願の請求項１の発明は、上向きのナットを備えたベース板を長さ方向に２列平行に配置し、各ベース板を長さ方向及び幅方向に連結材で連結してなるベース部と、前記ベース板上に丸太材を長さ方向に複数段配置した前壁と後壁とを有し、前記前壁と後壁の各丸太材を、下端を前記ナットに螺着して立設した結束ボルトで結合一体化したことを特徴とする土留壁部材である。ベース部はベース板と連結材を組み立てたものであり、ベース板及び連結材は軽量なものとして、運搬及び組み立て作業を容易に行うことができる。前壁及び後壁はベース部の上に丸太材を組み立てて結束ボルトで結合一体化するので、現場近くの山で伐採した間伐材などの木材を、現場で容易に組み立てることができる。また、前壁及び後壁が丸太材であるので、これらが露出しても自然な景観を実現でき、別途コンクリート製のブロックや鋼材などの構造材が不要なので、環境負荷がきわめて小さい。
【０００８】
本願の請求項２の発明は、請求項１の土留壁部材において、前記結束ボルトを幅方向に連結する巾止め材を該結束ボルトの任意の高さ位置に設けたことを特徴とする土留壁部材である。巾止め材を設けることで、前壁と後壁の間に充填する中詰め材の圧力に対して耐力が大きくなる。巾止め材は前壁と後壁を結合一体化する結束ボルトを巾方向に連結するものであるので、構造的に大きな耐力を期待できる。
【０００９】
本願の請求項３の発明は、請求項１又は２の土留壁部材において、前記前壁と後壁の端部の間に丸太材を巾方向に複数段配置した端壁を設け、前記ベース部の端部の前側と後側の各ベース板に巾方向に並ぶ２個の上向きナットを設け、その内側のナットに下端を螺着して立設した結束ボルトで前記端壁の各丸太材を結合一体化したことを特徴とする土留壁部材である。このように構成することで、端壁を容易に設けることができる。
【００１０】
本願の請求項４の発明は、請求項１〜３のいずれかの土留壁部材の前記前壁と後壁の間に中詰め材を充填して構築したことを特徴とする土留壁である。所望の位置に土留壁部材を設置し、前壁と後壁の間に中詰め材を充填することで土留壁を容易に構築することができる。この土留壁は沈床として用いることもできる。
【発明の効果】
【００１１】
本発明の土留壁部材は、ベース板、連結材、丸太材、巾止め材などの軽量な部材を組み立てたものなので、運搬及び組み立て作業を容易に行うことができる。前壁及び後壁はベース部の上に丸太材を組み立てて結束ボルトで結合一体化するので、現場近くの山で伐採した間伐材などの木材を、現場で容易に組み立てることができる。また、前壁及び後壁が丸太材であるので、これらが露出しても自然な景観を実現でき、別途コンクリート製のブロックや鋼材などの構造材が不要なので、環境負荷がきわめて小さい。本発明の土留壁は、所望の位置に設置した土留壁部材の前壁と後壁の間に中詰め材を充填することで容易に構築することができる。
【発明を実施するための最良の形態】
【００１２】
本発明において、ベース板は適宜の形状、寸法に加工した鉄板にナットを溶接固定したものを用いることができる。連結材は鉄製のフラットバー、鉄筋、Ｌ形鋼などの鋼材を用いることができる。ベース板と連結材との結合は溶接、ボルト・ナット結合などを用いることができる。丸太材は断面が略円形のいわゆる「丸太」に限るものではなく、棒状の木材であれば、断面形状は円形の他に四辺形や多角形など種々の形状のもの（例えば、太鼓落とし加工材、バタ角など）を用いることができる。巾止め材は鉄製のフラットバー、鉄筋、Ｌ形鋼などの鋼材を用いることができる。巾止め材と結束ボルトとの結合は、巾止め材の端部を鈎状に加工して結束ボルトに引っ掛ける方法、巾止め材の端部に穴を加工してその穴に結束ボルトを通す方法、溶接など任意の結合方法を採用できる。
【実施例】
【００１３】
図１は実施例の土留壁部材１のベース材２の上面図、図２は土留壁部材１の正面図、図３は土留壁部材１で構築した土留壁の断面図、図４は実施例の土留壁部材１’の断面図、図５は図１におけるＢ部拡大図、図６は図５におけるＡＡ線断面図、図７は結束ボルト１０下部の説明図、図８は結束ボルト１０上部及び巾止め材１２の説明図、図９は巾止め材１２の横断面説明図である。
【００１４】
土留壁部材１は、ベース部２、前壁７、後壁８、端壁９などからなる。ベース部２は、図１に示すように、上向きのナット１３を備えたベース板３、４を長さ方向に２列平行に配置し、各ベース板３、４を長さ方向及び幅方向に連結材５で連結している。
【００１５】
ベース板３、４は鉄板を所定の形状に切断加工したもので、ベース板３はナット１３を２個、ベース板４はナット１３を１個、上面に溶接固定している。ベース板３は土留壁部材の端部と丸太材６の継目１１の部分に設け、その他の部分はベース板４を設けている。端部においては、２個のナット１３が土留壁部材の巾方向に並ぶ向きにベース板３を配置し、その内側のナット１３に下端を螺着して立設した結束ボルト１０で端壁９の各丸太材６を結合一体化し、その外側のナット１３に下端を螺着して立設した結束ボルト１０で前壁７及び後壁８の各丸太材６を結合一体化する。丸太材６の継目１１の部分においては、ベース板３の２個のナット１３に下端を螺着して立設した結束ボルト１０で、それぞれ両側の丸太材６の端部を結合一体化する。ベース板４は丸太材の中間部分に配置し、ナット１３に下端を螺着して立設した結束ボルト１０で、丸太材６の中間部を結合一体化する。
【００１６】
連結材５は鉄製のフラットバーで、連結材５と各ベース板３、４とは、ボルト１４とナットで接続固定している。（図５、６）
【００１７】
正面側の前壁７、背面側の後壁８及び端部の端壁９は、それぞれ丸太材を複数段（６段）水平に積み上げたもので、各段の丸太材は結束ボルト１０で結合一体化される。結束ボルト１０の下部はベース板３、４のナット１３に螺着し（図７）、上部はナット１５で締め付ける（図８）。各丸太材６にはあらかじめ結束ボルト１０を挿通する孔が設けられ、最下部の丸太材の孔はナット１３が入るように下部の径が大きくなっている。
【００１８】
巾止め材１２は鉄製のフラットバーで、前壁７の結束ボルト１０と後壁８の結束ボルト１０を任意の高さにおいて連結する。この場合は、５段目と６段目の丸太の間に設けられている（図８）。巾止め材１２の両端部に設けた穴１６に結束ボルト１０を通すことで結束ボルト１０と連結している（図９）。
【００１９】
図３に示すのは土留壁部材１で構築した土留壁（擁壁）の例である。土留壁を設ける位置には、必要に応じて転圧、砕石地業、割栗地業、捨てコンクリートなどの地業を行い、その上にベース部２を組み立てる。次に結束ボルト１０をナット１３に螺着して立設し、丸太材６を積み重ねて前壁７、後壁８及び端壁９を構築する。最上段の丸太材を取り付ける前に巾止め材１２を取り付ける。前壁７と後壁８の間に中詰め材１７を充填する。中詰め材は土砂、砕石、栗石など任意のものを選択できる。更に後壁８の背面側の土砂を埋め戻す。
【００２０】
また、土留壁部材１をあらかじめ組み立てた後に施工場所に設置し、中詰め材を充填して土留壁を構築することもできる。
【００２１】
前壁７及び後壁８は垂直ばかりでなく、傾斜させることもできる。図４に示す土留壁部材１’は前壁７のみを傾斜させた例である。
【産業上の利用可能性】
【００２２】
本発明の土留壁は擁壁、護岸、沈床、治山ダム、水路などの土砂や石をせき止める部分の全てを含むものである。土留壁部材はこれらの土留壁の構築に利用される。
【図面の簡単な説明】
【００２３】
【図１】実施例の土留壁部材１のベース材２の上面図である。
【図２】土留壁部材１の正面図である。
【図３】土留壁部材１で構築した土留壁の断面図である。
【図４】実施例の土留壁部材１’の断面図である。
【図５】図１におけるＢ部拡大図である。
【図６】図５におけるＡＡ線断面図である。
【図７】結束ボルト１０下部の説明図である。
【図８】結束ボルト１０上部及び巾止め材１２の説明図である。
【図９】巾止め材１２の横断面説明図である。
【符号の説明】
【００２４】
１  土留壁部材
２  ベース部
３  ベース板
４  ベース板
５  連結材
６  丸太材
７  前壁
８  後壁
９  端壁
１０  結束ボルト
１１  継目
１２  巾止め材
１３  ナット
１４  ボルト
１５  ナット
１６  穴
１７  中詰め材
【図１】
2005048525.tif 000003
【図２】
2005048525.tif 000004
【図３】
2005048525.tif 000005
【図４】
2005048525.tif 000006
【図５】
2005048525.tif 000007
【図６】
2005048525.tif 000008
【図７】
2005048525.tif 000009
【図８】
2005048525.tif 000010
【図９】
2005048525.tif 000011